(57)【要約】【課題】従来、電気エネルギーと磁場のエネルギーを利用して、重力の加減が可能となる重力場を発生させる技術は存在しなかった。それを実現して、人間が利用可能にする。【解決手段】「重力装置」はその内部に回転子を有し、回転子には「磁石」が固定されている。その回転子の中心には回転軸が固定されていて、回転子と共に回転する。「重力装置」はその内部で「磁石」によるものとは「別の磁場」を発生させる。「重力装置」に電気エネルギーを供給すると、「重力装置」内部の「別の磁場」中を、「磁石」が回転し、回転軸も共に回転するように作られている。この「重力装置」と「電動機」等の回転軸を回転させられる手段の回転軸を共通の一本とするか、もしくは先端が接合されて一本化されている請求項１の装置及び重力を加減可能な請求項２と請求項３の方法。【選択図】図１
2018017152.tif 000002
【特許請求の範囲】
【請求項１】
「重力装置」はその内部に回転子を有し、回転子には「磁石」が固定されている。その回転子の中心には回転軸が固定されていて、回転子と共に回転する。「重力装置」はその内部で「磁石」によるものとは「別の磁場」を発生させる。「重力装置」に電気エネルギーを供給すると、「重力装置」内部の「別の磁場」中を、「磁石」が回転し、回転軸も共に回転するように作られている。この「重力装置」と「電動機」等の回転軸を回転させられる手段の回転軸を共通の一本とするか、もしくは先端が接合されて一本化されている請求項１の装置。
【請求項２】
「重力装置」に電気エネルギーを供給し、「重力装置」内部の「別の磁場」中を、「磁石」が回転し、回転軸も共に「或る向き」に回転するものとする。他方、請求項１の装置の「電動機」等の回転軸を回転させられる手段には回転軸が「或る向き」と逆向きに回転するように電気エネルギーを供給する。「電動機」等の回転軸を回転させられる手段に供給する電気エネルギーの大きさは「重力装置」の回転子を「或る向き」と逆向きに回転させられるものとする。すると、「重力装置」内部の「別の磁場」中を、本来の「或る向き」と逆の向きに「磁石」が回転し、「重力装置」内部の磁場が擾乱される。その結果、「重力装置」内部の磁場のエネルギーを反重力物質の質量と同じ働きをするエネルギーに変質させる請求項２の方法。
【請求項３】
「重力装置」に電気エネルギーを供給し、「重力装置」内部の「別の磁場」中を、「磁石」が回転し、回転軸も共に「或る向き」に「或る速度」で回転するものとする。他方、請求項１の装置の「電動機」等の回転軸を回転させられる手段には回転軸が「或る向き」と同じ向きに回転するように電気エネルギーを供給する。「電動機」等の回転軸を回転させられる手段に供給する電気エネルギーの大きさは「重力装置」の回転子を「或る向き」と同じ向きに「或る速度」よりも速い速度で回転させられるものとする。すると、「重力装置」内部の「別の磁場」中を、本来の「或る向き」と同じ向きに「磁石」が本来の「或る速度」よりも速い速度で回転し、「重力装置」内部の磁場が擾乱される。その結果、「重力装置」内部の磁場のエネルギーを物質の質量と同じ働きをするエネルギーに変質させる請求項３の方法。
【発明の詳細な説明】
【技術分野】
【０００１】
本発明は、電気エネルギーと磁場のエネルギーを利用して、物体に働く重力の加減が可能となる重力場を発生させる技術に関する。
【背景技術】
【０００２】
電気エネルギーと磁場のエネルギーを利用して、物体に働く重力の加減が可能となる重力場を発生させる技術は、従来、存在しない。また、本発明が利用する電動機(モーター)は確立された技術であり、本発明は容易に製造できる。ただ、「高周波超伝導電磁エンジン」（特許文献１及び非特許文献１参照）は、従来の技術であって反重力場を発生させないが、反重力を可能とする。
【先行技術文献】
【特許文献】
【０００３】
【特許文献１】特開２００７−２７８２６５号公報
【非特許文献】
【０００４】
【非特許文献１】久保田英文著  「銀河への道」ブイツーソリューション  ２００９年
【発明の概要】
【発明が解決しようとする課題】
【０００５】
従来、存在しなかった電気エネルギーと磁場のエネルギーを利用して物体に働く重力の加減が可能となる重力場を発生させる技術を実現して、人間が利用可能にする。
【課題を解決するための手段】
【０００６】
重力加減機は「重力装置」と「電動機」等の回転軸を回転させられる手段からなる。
「重力装置」はその内部に回転子を有し、回転子には「磁石」が固定されている。その回転子の中心には回転軸が固定されていて、回転子と共に回転する。また、「重力装置」はその内部で「磁石」によるものとは「別の磁場」を発生させる。「重力装置」に電気エネルギーを供給すると、「重力装置」内部の「別の磁場」中を、「磁石」が回転し、回転軸も共に回転するように作られている。「重力装置」は電動機と同様の機能を有する。但し、磁場の擾乱を発生させられる電動機でなければならない。
「重力装置」の回転軸と「電動機」等の回転軸を回転させられる手段の回転軸は共通の一本であるか、もしくは先端が接合されて一本化している。
【０００７】
斥力を発生させる方法について述べる。
「重力装置」に電気エネルギーを供給する。すると、「重力装置」内部の「別の磁場」中を、「磁石」が回転し、回転軸も共に「或る向き」に回転するはずである。他方、「電動機」等の回転軸を回転させられる手段には回転軸が「或る向き」と逆向きに回転するように電気エネルギーを供給する。「電動機」等の回転軸を回転させられる手段に供給する電気エネルギーの大きさは、「重力装置」の回転子を「或る向き」と逆向きに回転させられるものとする。すると、「重力装置」内部の「別の磁場」中を、本来の「或る向き」と逆の向きに「磁石」が回転し、「重力装置」内部の磁場が擾乱されて、磁場空間が歪む。その結果、「重力装置」内部の磁場のエネルギーが反重力物質の質量と同じ働きをするエネルギーに変質する。反重力物質とは物質に対して斥力を及ぼす物質のことである。
この場合、回転子の「磁石」の磁場と「別の磁場」が反発し合っている状態なので、斥力を生じさせる。すなわち、反重力物質の質量と同じ働きをするエネルギーに変質する。反重力物質の質量としての働きを終えた後は磁場のエネルギーと同じ運命をたどる。
この場合において、変質している「重力装置」内部の磁場のエネルギーの総量は、Ｋという「反重力物質の質量」としての働きを持つものとする。すると「重力装置」外の質量ｍの物体に働く一秒間の力積は、−ＧｍＫ/ｒ２×１となる。
Ｇは万有引力定数。ｒは「反重力物質の質量」の重心と質量ｍの物体間の距離。
重力加減機に供給する電気エネルギーが大きければ大きいほど、Ｋの値が大きくなり、ひいては斥力が強くなる。地球等の惑星上では、加減機で発生させるのが反重力場なので、加減機の上方で斥力が強くなる。
【０００８】
引力を発生させる方法について述べる。
「重力装置」に電気エネルギーを供給する。すると、「重力装置」内部の「別の磁場」中を、「磁石」が回転し、回転軸も共に「或る向き」に「或る速度」で回転するはずである。他方、「電動機」等の回転軸を回転させられる手段には回転軸が「或る向き」と同じ向きに回転するように電気エネルギーを供給する。「電動機」等の回転軸を回転させられる手段に供給する電気エネルギーの大きさは、「重力装置」の回転子を「或る向き」と同じ向きに「或る速度」よりも速い速度で回転させられるものとする。すると、「重力装置」内部の「別の磁場」中を、本来の「或る向き」と同じ向きに「磁石」が本来の「或る速度」よりも速い速度で回転し、「重力装置」内部の磁場が擾乱されて、磁場空間が歪む。その結果、「重力装置」内部の磁場のエネルギーが質量と同じ働きをするエネルギーに変質する。
この場合、回転子の「磁石」の磁場が「別の磁場」を引きずり込む状態なので、引力を生じさせる。すなわち、物質の質量と同じ働きをするエネルギーに変質する。物質の質量としての働きをした後は磁場のエネルギーと同じ運命をたどる。
この場合において、変質している「重力装置」内部の磁場のエネルギーの総量は、Ｋという「物質の質量」としての働きを持つものとする。すると「重力装置」外の質量ｍの物体に働く一秒間の力積は、ＧｍＫ/ｒ２×１となる。
Ｇは万有引力定数。ｒは「物質の質量」の重心と質量ｍの物体間の距離。
重力加減機に供給する電気エネルギーが大きければ大きいほど、Ｋの値が大きくなり、ひいては引力が強くなる。地球等の惑星上では、加減機で発生させるのが重力場なので、加減機の下方で引力が強くなる。
【発明の効果】
【０００９】
電気エネルギーと磁場のエネルギーを利用して重力加減機の周囲に存在する物体に働く重力を増加させたり、減少させたりできる。重力加減機の周囲に存在する物体に斥力を働かせることもできる。
【図面の簡単な説明】
【００１０】
【図１】図１は重力加減機の概念図である。
【産業上の利用可能性】
【００１１】
無重力もしくは低重力の宇宙空間に所在する宇宙船内に重力を働かせることができる。地球よりも軽い重力を持つ惑星で重力を増加させられるが、重力を減少させる場合よりも、効果が弱くならざるをえない。
地球よりも重い重力を持つ惑星もしくは宇宙空間で重力を減少させられる。
地球上において重力を減少させる場合、「重力装置」外の質量ｍの物体に働く力は、
ｍｇ−ＧｍＫ/ｒ２   となる。
Ｇは万有引力定数。ｒは「重力装置」と質量ｍの物体の距離。ｇは重力加速度。
ｍｇ＜ＧｍＫ/ｒ２
であれば、質量ｍの物体を浮かせられる。
一般的に言って、地球等の惑星上では惑星の重力が働いて、「反重力物質の質量」もしくは「物質の質量」が移動してしまうので、加減機の効果は弱い。
【符号の説明】
【００１２】
１    「重力装置」
２    「電動機」
３    回転軸
【図１】
2018017152.tif 000003